(57)【要約】【課題】部品点数を削減できるケースを提供することを目的とする。【解決手段】コネクタ付きケース１は、トランスミッションケース５０に取り付けられるＥＣＵ用のケースである。トランスミッションケース５０は、貫通孔５１を有する相手側ケース壁５２を備えている。コネクタ付きケース１は、相手側ケース壁５２に沿って配置されるケース壁１１と、ケース壁１１から連なり、貫通孔５１内に収容されるコネクタ部２１と、コネクタ部２１に装着されて、相手側ケース壁５２との間に介在することによりコネクタ部２１と相手側ケース壁５２との間をシールするシールリング２５と、を備える。【選択図】図２
2018041634.tif 000002
【特許請求の範囲】
【請求項１】
コネクタ収容部を有する相手側ケース壁に取り付けられるコネクタ付きケースであって、
前記相手側ケース壁に沿って配置されるケース壁と、
前記ケース壁から連なり、前記コネクタ収容部内に収容されるコネクタ部と、
前記コネクタ部に装着されて、前記相手側ケース壁との間に介在することにより前記コネクタ部と前記相手側ケース壁との間をシールするシール部材と、を備えるコネクタ付きケース。
【請求項２】
前記コネクタ部が、
端子保持部と、前記端子保持部を貫通して保持される端子金具とを備え、前記端子保持部が、前記端子金具が突出する端子突出面と、前記端子突出面から連なり前記端子金具を囲むように配置される囲み面とで定義される充填凹部を有するとともに、
前記充填凹部の内部に配置されるポッティング材を備えている、請求項１に記載のコネクタ付きケース。
【発明の詳細な説明】
【技術分野】
【０００１】
本明細書によって開示される技術は、コネクタ付きケースに関する。
【背景技術】
【０００２】
自動車のオートマチックトランスミッションは、内部にオイルを封入したトランスミッションケース内に、トルクコンバータ等の機械要素と、これらの機械要素を制御するアクチュエータやセンサ等の電気回路とが収容されている。これらの電気回路は、トランスミッションケースに取り付けられた中継コネクタを介して、外部の制御装置に接続されるようになっている（特許文献１参照）。
【先行技術文献】
【特許文献】
【０００３】
【特許文献１】特開２０１０−３３９２１号公報
【発明の概要】
【発明が解決しようとする課題】
【０００４】
上記の中継コネクタは、コネクタハウジングとトランスミッションケースとの間のシール用、および、コネクタハウジングと制御装置のケースとの間のシール用の２つのシール部材を必要とする。このため、部品点数が多くなりがちである。
【課題を解決するための手段】
【０００５】
本明細書によって開示されるコネクタ付きケースは、コネクタ収容部を有する相手側ケース壁に取り付けられるコネクタ付きケースであって、前記相手側ケース壁に沿って配置されるケース壁と、前記ケース壁から連なり、前記コネクタ収容部内に収容されるコネクタ部と、前記コネクタ部に装着されて、前記相手側ケース壁との間に介在することにより前記コネクタ部と前記相手側ケース壁との間をシールするシール部材と、を備える。
【０００６】
上記の構成によれば、コネクタ部がケース壁に一体に設けられているため、中継コネクタを別に用意する必要がない。また、シール部材が、コネクタ部と相手側ケース壁とのシール用の１つのみでよい。これにより、部品点数を削減できる。
【０００７】
上記の構成において、前記コネクタ部が、端子保持部と、前記端子保持部を貫通して保持される端子金具とを備え、前記端子保持部が、前記端子金具が突出する端子突出面と、前記端子突出面から連なり前記端子金具を囲むように配置される囲み面とで定義される充填凹部を有するとともに、前記充填凹部の内部に配置されるポッティング材を備えていてもよい。
【０００８】
このような構成によれば、雄端子金具と端子保持部との界面を伝わって、水分やオイルなどがケースの内部に浸入することを回避できる。
【発明の効果】
【０００９】
本明細書によって開示されるコネクタ付きケースによれば、部品点数を削減できる。
【図面の簡単な説明】
【００１０】
【図１】実施形態のコネクタ付きケースの底面図
【図２】図１のＡ−Ａ線断面図
【発明を実施するための形態】
【００１１】
実施形態を、図１および図２を参照しつつ説明する。本実施形態のコネクタ付きケース１は、自動車に搭載され、オートマチックトランスミッションと接続されるＥＣＵ（電子制御ユニット）用のケースである。
【００１２】
相手側であるオートマチックトランスミッションは、詳細には図示しないが、内部にトルクコンバータ等の機械要素と、これらの機械要素の動きを制御するアクチュエータやセンサ等の電気部品を収容してトランスミッションオイルを満たした金属製のトランスミッションケース５０を備えている。トランスミッションケース５０は、図２に示すように、貫通孔５１（コネクタ収容部に該当）を有する相手側ケース壁５２を備えている。
【００１３】
コネクタ付きケース１は、図１および図２に示すように、合成樹脂製のケース本体１０を備えている。ケース本体１０は、開口部を有する浅い箱型であって、内部には回路基板（図示せず）が収容され、開口部にはカバー（図示せず）が被せられるようになっている。
【００１４】
ケース本体１０は、ケースの内部空間と外部空間とを隔てるケース壁１１と、このケース壁１１から連なるコネクタ部２１とを備えている。ケース壁１１は、図１に示すように、全体として矩形の板状に構成されている。ケース壁１１からは、相手側ケース壁５２にボルトによって固定される複数の取付片１２が延びている。
【００１５】
コネクタ部２１は、図２に示すように、端子保持部２２と、この端子保持部２２から延びるタワー部３１と、端子保持部２２に保持される複数の雄端子金具４１とを備えている。
【００１６】
端子保持部２２は、ケース壁１１を貫通して配される円柱状の部分であって、一方の端面（図２の上面：内側面２２Ｆ）が、ケース壁１１のケース内側を向く面（図２の上面）と面一となっており、この内側面２２Ｆに隣接する一部分は、ケース壁１１と一体化している。また、残りの部分（内側面２２Ｆと反対側の部分）は、ケース壁１１から外側（図２の下方）に向かって突出するシール装着部２２Ｓとなっている。シール装着部２２Ｓは、シール装着溝２４を有している。シール装着溝２４は、シール装着部２２Ｓの外周面を基準として内側に凹む溝であって、シール装着部２２Ｓの全周にわたって設けられている。シール装着溝２４には、シールリング２５（シール部材に該当）が嵌め込まれている。シールリング２５は、ゴムなどの弾性部材によって構成された円環状の部材である。
【００１７】
タワー部３１は、シール装着部２２Ｓからケース壁１１と反対側に延びる矩形のブロック状の部分であって、複数の外部嵌合凹部３２を有している。各外部嵌合凹部３２は、タワー部３１の突出端面３１Ａ（端子保持部２２とは反対側の端面）から端子保持部２２に向かって凹む凹部であって、突出端面３１Ａと平行な底面３２Ａと、この底面３２Ａから突出端面３１Ａまで延びる内周面３２Ｂとで定義される凹部である。
【００１８】
複数の雄端子金具４１のそれぞれは、金属板材を打ち抜き加工することにより形成された細長い板状の部材であって、両端にタブ部４１Ａ、４１Ｂを有している。各雄端子金具４１は、端子保持部２２を貫通して配され、一方のタブ部４１Ａが外部嵌合凹部３２内に配され、他方のタブ部４１Ｂがコネクタ付きケース１の内部に配されている。
【００１９】
端子保持部２２は、内部嵌合凹部２６と、充填凹部２７を有している。内部嵌合凹部２６は、内側面２２Ｆを基準として、タワー部３１に向かって凹む凹部であって、内側面２２Ｆと平行な底面２６Ａと、この底面２６Ａから内側面２２Ｆまで延びる内周面２６Ｂとで定義される凹部である。充填凹部２７は、底面２６Ａを基準として、タワー部３１に向かって凹む凹部であって、底面２６Ａと平行な端子突出面２７Ａと、この端子突出面２７Ａから底面２６Ａまで延び、複数の雄端子金具４１を囲んで配される囲み面２７Ｂとで定義される凹部である。雄端子金具４１は、端子突出面２７Ａから突出しており、充填凹部２７の内部には、ポッティング材２８が充填されている。
【００２０】
コネクタ付きケース１がトランスミッションケース５０に取り付けられる際には、図２に示すように、コネクタ部２１のうちシール装着部２２Ｓが貫通孔５１の内部に配され、タワー部３１がトランスミッションケース５０の内部に配される。ケース壁１１が相手側ケース壁５２の外壁面に沿って配され、図示しないボルトによって取付片１２が相手側ケース壁５２にねじ止めされることにより、コネクタ付きケース１がトランスミッションケース５０に固定される。シール装着部２２Ｓと相手側ケース壁５２との間には、シールリング２５が介在しており、このシールリング２５によってコネクタ部２１と相手側ケース壁５２との間がシールされる。タワー部３１は、トランスミッションケース５０の内部に配置された図示しない相手側コネクタと嵌合される。
【００２１】
また、上記したように、トランスミッションケース５０の内部にはトランスミッションオイルが満たされているが、ポッティング材２８によって、トランスミッションオイルが雄端子金具４１と端子保持部２２との界面を伝わってコネクタ付きケース１の内部に浸入することが防がれている。
【００２２】
以上のように本実施形態によれば、コネクタ付きケース１は、トランスミッションケース５０に取り付けられるＥＣＵ用のケースである。トランスミッションケース５０は、貫通孔５１を有する相手側ケース壁５２を備えている。コネクタ付きケース１は、相手側ケース壁５２に沿って配置されるケース壁１１と、ケース壁１１から連なり、貫通孔５１内に収容されるコネクタ部２１と、コネクタ部２１に装着されて、相手側ケース壁５２との間に介在することによりコネクタ部２１と相手側ケース壁５２との間をシールするシールリング２５と、を備える。
【００２３】
上記の構成によれば、コネクタ部２１がケース壁１１に一体に設けられているため、中継コネクタを別に用意する必要がない。また、シール部材が、コネクタ部２１と相手側ケース壁５２とのシール用のシールリング２５のみでよい。これにより、部品点数を削減できる。
【００２４】
また、コネクタ部２１が、端子保持部２２と、端子保持部２２を貫通して保持される雄端子金具４１とを備え、端子保持部２２が、雄端子金具４１が突出する端子突出面２７Ａと、端子突出面２７Ａから連なり雄端子金具４１を囲むように配置される囲み面２７Ｂとで定義される充填凹部２７を有するとともに、充填凹部２７の内部に配置されるポッティング材２８を備えている。
【００２５】
このような構成によれば、雄端子金具４１と端子保持部２２との界面を伝わって、トランスミッションオイルがコネクタ付きケース１の内部に浸入することを回避できる。
【００２６】
＜他の実施形態＞
本明細書によって開示される技術は上記記述及び図面によって説明した実施形態に限定されるものではなく、例えば次のような種々の態様も含まれる。
（１）上記実施形態では、コネクタ付きケース１がトランスミッションケース５０に接続されるＥＣＵ用のケースであったが、コネクタ付きケースおよび相手側ケースの種類は本実施形態の限りではなく、コネクタ部によって接続されるケースであればよい。
【００２７】
（２）上記実施形態ではシール部材がシールリング２５であったが、シール部材の種類は上記実施形態の限りではなく、例えば、筒状のゴム栓であっても構わない。
【符号の説明】
【００２８】
１…コネクタ付きケース
１１…ケース壁
２１…コネクタ部
２２…端子保持部
２５…シールリング（シール部材）
２７…充填凹部
２７Ａ…端子突出面
２７Ｂ…囲み面
２８…ポッティング材
４１…雄端子金具
５１…貫通孔（コネクタ収容部）
５２…相手側ケース壁
【図１】
2018041634.tif 000003
【図２】
2018041634.tif 000004